(57)【要約】【課題】光沢ムラが生じにくくする。【解決手段】トナー像が転写されたシート状記録材Ｓを加熱しつつ通過させることでトナー像をシート状記録材Ｓに定着させる定着器６０の直後に配置され，定着器６０からのシート状記録材Ｓを搬送するためにシート状記録材の搬送方向と直交方向に配列された定着後ローラ列９３と，その後段に配置され，定着後ローラ列からのシート状記録材をさらに搬送する後段ローラ対９１，９２とを備え，定着後ローラ列９３をなすローラのうち，シート状記録材の搬送方向と直交方向における中央部分に位置するローラは互いに圧接する駆動ローラ９３ａと従動ローラ９３ｂとからなるローラ対で構成し，両端部分に位置するローラ９３ｃには，圧接するローラを設けずにローラ９３ｃに用紙Ｓを接触させるガイド部材９３ｄを対向配置し，後段ローラ対９１，９２の圧接部Ｎ２を定着後ローラ列９３におけるローラ対の圧接部Ｎ１と交互に配置した。【選択図】図４
2006234856.tif 000002
【特許請求の範囲】
【請求項１】
トナー像が転写されたシート状記録材を加熱しつつ通過させることで，前記トナー像をシート状記録材に定着させる定着器と，
この定着器の直後に配置され，定着器からのシート状記録材を搬送するためにシート状記録材の搬送方向と直交方向に配列された定着後ローラ列と，
この定着後ローラ列の後段に配置され，定着後ローラ列からのシート状記録材をさらに搬送する後段ローラ対とを備えた画像形成装置であって，
前記定着後ローラ列をなすローラのうち，シート状記録材の搬送方向と直交方向における，中央部分に位置するローラは互いに圧接する駆動ローラと従動ローラとからなるローラ対で構成するとともに，両端部分に位置するローラには，当該ローラに圧接するローラを設けずに，当該ローラに用紙を接触させるガイド部材を対向配置し，かつ，前記後段ローラ対の圧接部を，前記シート状記録材の搬送方向から見て，前記定着後ローラ列におけるローラ対の圧接部と交互に配置したことを特徴とする画像形成装置。
【請求項２】
前記ガイド部材は，前記従動ローラと同軸上に配置され，従動ローラと一緒に回転する丸棒体で構成したことを特徴とする請求項１記載の画像形成装置。
【発明の詳細な説明】
【技術分野】
【０００１】
本発明は，普通紙，厚紙，葉書，封筒，ＯＨＰシート，その他のシート状記録材（単に用紙ともいう）にトナー画像を形成することができる画像形成装置に関する。特に，その排紙技術に関するものである。
【背景技術】
【０００２】
従来，トナー像が転写されたシート状記録材を加熱しつつ通過させることで，前記トナー像をシート状記録材に定着させる定着器と，この定着器の直後に配置され，定着器からのシート状記録材を搬送するためにシート状記録材の搬送方向と直交方向に配列された定着後ローラ列とを備えた画像形成装置が知られている（例えば特許文献１）。
この種の画像形成装置では，用紙が定着器を通って加熱されるとカールしやすくなり，この用紙をそのまま排出すると，排出部（例えば排紙トレイ）上で用紙が丸まってしまうことがある。あるいは，カールした用紙の先端がすでに排出されている用紙に当接して，この用紙を排出部（例えば排紙トレイ）から押し出してしまうことがある。
そこで，これを防止すべく，従来は，定着後ローラ列をなすローラのうち，シート状記録材の搬送方向と直交方向における，中央部分に位置するローラは互いに圧接する駆動ローラと従動ローラとからなるローラ対で構成するとともに，そのローラ対の間に位置するローラを他のローラに比べて大径とし，かつ両端部分に位置するローラには，当該ローラに圧接するローラを設けない構成とし，これによってカールを防止するようにしていた（例えば特許文献１）。
【特許文献１】特開２００４−２６３８８号公報
【発明の開示】
【発明が解決しようとする課題】
【０００３】
上述した従来の画像形成装置では，定着後ローラ列をなすローラのうち，両端部分に位置するローラには，当該ローラに圧接するローラが設けられておらず，またこのローラに用紙を積極的に接触させるためのガイド部材も設けられていないため，定着器で加熱されて出てきた用紙の両端部分（上記圧接されるローラが設けられていないローラに対応する部分）は上記両端部分に位置するローラに対して必ずしも良好には接触しない。
一方，定着後ローラ列をなすローラのうち，中央部分に位置するローラは互いに圧接する駆動ローラと従動ローラとからなるローラ対で構成されているから，用紙はこれらのローラに対しては確実に接触することとなる。
このため，定着器で加熱されて出てきた用紙の両端部分と中央部分とでは大きな温度差が生じ，この温度差によって，用紙上のトナー像に光沢ムラが生じやすいという問題があった。
本発明の目的は，以上のような問題を解決し，光沢ムラが生じにくい画像形成装置を提供することにある。
【課題を解決するための手段】
【０００４】
上記目的を達成するために本発明の画像形成装置は，トナー像が転写されたシート状記録材を加熱しつつ通過させることで，前記トナー像をシート状記録材に定着させる定着器と，
この定着器の直後に配置され，定着器からのシート状記録材を搬送するためにシート状記録材の搬送方向と直交方向に配列された定着後ローラ列と，
この定着後ローラ列の後段に配置され，定着後ローラ列からのシート状記録材をさらに搬送する後段ローラ対とを備えた画像形成装置であって，
前記定着後ローラ列をなすローラのうち，シート状記録材の搬送方向と直交方向における，中央部分に位置するローラは互いに圧接する駆動ローラと従動ローラとからなるローラ対で構成するとともに，両端部分に位置するローラには，当該ローラに圧接するローラを設けずに，当該ローラに用紙を接触させるガイド部材を対向配置し，かつ，前記後段ローラ対の圧接部を，前記シート状記録材の搬送方向から見て，前記定着後ローラ列におけるローラ対の圧接部と交互に配置したことを特徴とする。
このような構成によれば，シート状記録材の搬送方向と直交方向における両端部分に位置するローラに対して，ガイド部材で用紙が案内されて接触することとなるので，定着器で加熱されて出てきた用紙の両端部分と中央部分とに大きな温度差が生じにくくなり，結果として，用紙上のトナー像に光沢ムラが生じにくくなる。
しかも，前記後段ローラ対の圧接部は，前記シート状記録材の搬送方向から見て，前記定着後ローラ列におけるローラ対の圧接部と交互に配置されているので，前記定着後ローラ列におけるローラ対の圧接部を通らなかった用紙の部位が前記後段ローラ対の圧接部を通ることとなる。
したがって，用紙の中央部分における光沢ムラも生じにくくなる。
望ましくは，前記ガイド部材は，前記従動ローラと同軸上に配置され，従動ローラと一緒に回転する丸棒体で構成する。
このような構成にすれば，両端部分に位置するローラに対して，用紙の両端部を円滑かつ確実に案内して確実に前記ローラに接触させることができる。
【発明を実施するための最良の形態】
【０００５】
以下，本発明に係る画像形成装置の実施の形態について図面を参照して説明する。
図１は，本発明に係る画像形成装置の一実施の形態の内部構造を示す概略正面図である。
この画像形成装置は，Ａ４サイズの用紙（レターサイズ含む）を縦送りしてその両面にモノクロ（単色）画像またはフルカラー画像を形成することのできるカラー画像形成装置であり，ケース１１と，このケース１１内に収容された，画像形成部をなす，像担持体ユニット２０と，露光手段としての露光ユニット３０と，現像手段としての現像器（現像装置）４０とを備えている。また，中間転写体ユニット５０と，定着手段としての定着ユニット（定着器）６０とを備えている。
ケース１１には装置本体１０の図示しないフレームが設けられており，このフレームに各ユニット等が取り付けられている。
【０００６】
像担持体ユニット２０は，外周面に感光層を有する感光体２１と，この感光体２１の外周面を一様に帯電させる帯電手段としてのコロナ帯電器（スコロトロン帯電器）２２とを有しており，このコロナ帯電器２２により一様に帯電させられた感光体２１の外周面を露光ユニット３０からのレーザー光Ｌで選択的に露光して静電潜像を形成し，この静電潜像に現像器４０で現像剤であるトナーを付与して可視像（トナー像）とし，このトナー像を中間転写体ユニット５０の中間転写体である中間転写ベルト５１に一次転写部Ｔ１で一次転写し，さらに，二次転写部（転写部）Ｔ２で，転写対象である用紙に二次転写させるようになっている。
【０００７】
ケース１１内には，上記二次転写部Ｔ２により片面に画像が形成された用紙をケース１１上面の用紙排出部（排紙トレイ）１５に向けて搬送する搬送路１６と，この搬送路１６により用紙排出部１５に向けて搬送された用紙をスイッチバックさせて他面にも画像を形成すべく前記二次転写部Ｔ２に向けて返送する返送路１７とが設けられている。
７０は，装置本体に対して着脱可能に構成された両面ユニットであり，この両面ユニット７０が装着されることによって前記返送路１７が完成される。
７１は用紙返送用の駆動モータ，７２はこのモータ７１からタイミングベルト等の駆動機構（図示せず）を介して駆動される用紙返送ローラである。
【０００８】
ケース１１の下部には，複数枚の用紙を積層保持する給紙カセット１８が設けられており，その用紙を一枚ずつ上記二次転写部Ｔ２に向けて給送する給紙ローラ１９が設けられている。
上記両面ユニット７０の下方には，手差し給紙部８０をなすマルチパーパーストレイ８１が設けられており，このマルチパーパーストレイ８１にセットされた用紙を一枚ずつ給送する給紙ローラ８２が装置本体に設けられている。
【０００９】
現像器４０はロータリ現像器（ロータリ現像装置）であり，回転体本体４１に対して，イエロートナー，シアントナー，マゼンタトナー，ブラックトナーが収容された各色用の現像器カートリッジ（図示せず）が着脱可能に装着されている。回転体本体４１が矢印Ｒ方向に９０度ピッチで回転することによって，各現像器カートリッジが備えている現像ローラ（図示せず）を感光体２１に選択的に当接させ，感光体２１の表面を選択的に現像することが可能となっている。
【００１０】
露光ユニット３０は，上記レーザー光Ｌを感光体２１に向けて照射する。
中間転写体ユニット５０は，図示しないユニットフレームと，このフレームで回転可能に支持された駆動ローラ５４と複数本の従動ローラに掛け回されて張架された中間転写体としての前記中間転写ベルト５１とを備えており，中間転写ベルト５１が図示矢印方向に循環駆動される。感光体２１と中間転写ベルト５１との当接部において前記一次転写部Ｔ１が形成されており，駆動ローラと本体側に設けられた二次転写ローラ１０ｂとの圧接部において前記二次転写部Ｔ２が形成される。
二次転写ローラ１０ｂは，前記駆動ローラ５４に対して（したがって中間転写ベルト５１に対して）接離可能であり，接触した際に二次転写部Ｔ２が形成される。
したがって，カラー画像を形成する際には，二次転写ローラ１０ｂが中間転写ベルト５１から離間している状態で，中間転写ベルト５１の１回転につき中間転写ベルト５１上に１色の画像が形成され，中間転写ベルト５１の複数回転により中間転写ベルト５１上に複数色の画像が重畳されて中間転写ベルト５１上にカラー画像が形成され，その後，二次転写ローラ１０ｂが中間転写ベルト５１に当接し，その当接部（二次転写部Ｔ２）に用紙が供給されることによって中間転写ベルト５１上から用紙上にカラー画像（トナー像）が転写（二次転写）されることとなる。
トナー像が転写された用紙は，定着ユニット（定着器）６０を通ることで加熱され，トナー像が加熱溶融定着されて，排紙部９０により上記排紙トレイ１５に向けて排出される。
【００１１】
図２は排紙部９０の概略正面図，図３は排紙部９０の部分省略斜視図，図４は排紙部９０をなす各ローラの展開図，図５は変形例の展開図である。
図１〜図４に示すように，この画像形成装置の排紙部９０は，定着器６０の直後に配置され，定着器６０からのシート状記録材Ｓを搬送するためにシート状記録材Ｓの搬送方向と直交方向に配列された定着後ローラ列９３と，この定着後ローラ列９３の後段に配置され，定着後ローラ列９３からのシート状記録材Ｓをさらに搬送する後段ローラ対９１，９２とを備えている。
図２〜図４において，９４は，排紙トレイ１５へ排出される用紙を，その排出方向から見て波打ち状態にするためのコルゲーションローラである。
【００１２】
図４に示すように，定着後ローラ列９３をなすローラのうち，シート状記録材Ｓの搬送方向と直交方向における，中央部分に位置するローラ（９３ａ，９３ｂ）は互いに圧接する駆動ローラ９３ａと従動ローラ９３ｂとからなるローラ対で構成するとともに，両端部分に位置するローラ９３ｃには，当該ローラ９３ｃに圧接するローラを設けずに，当該ローラ９３ｃに用紙Ｓを接触させるガイド部材９３ｄを対向配置し，かつ，後段ローラ対９１，９２の圧接部Ｎ２を，シート状記録材Ｓの搬送方向から見て，定着後ローラ列９３におけるローラ対９３ａ，９３ｂの圧接部Ｎ１と交互に配置してある。
ガイド部材９３ｄは，前記従動ローラ９３ｂと同軸上に配置され，従動ローラ９３ｂと一緒に回転する丸棒体で構成してある。
【００１３】
定着後ローラ列９３は，図示しないフレームに回転可能に支持され図示しない駆動機構で回転駆動される駆動軸９３ｅを有しており，この駆動軸９３ｅに前記駆動ローラ９３ａおよび９３ｃが固定されている。したがって，両端部分に位置するローラ９３ｃは，駆動ローラ９３ａと同じく自ら回転する。
なお，図４において，１０ｆは排紙部におけるローラの軸をフレームに支持している軸受け部である。
従動ローラ９３ｂおよびガイド部材９３ｄは１本の組み立て体を構成しており，その両端がフレームに回転可能に支持されている。
図４に示すガイド部材９３ｄはジョイント部（カップリング）９３ｊで従動ローラ９３ｂと連結されていて従動ローラ９３ｂと一緒に回転するようになっているが，図５に示すガイド部材９３ｄ’のように，従動ローラ９３ｂとは別に独立して自由回転するように構成することもできる。
【００１４】
この実施の形態では，上記後段ローラ対９１，９２は，用紙を排紙トレイ１５上（機外）に排出する排紙ローラ対を構成している。
また，定着後ローラ列９３における上記ローラ対９３ａ，９３ｂは，定着器６０と排紙ローラ対９１，９２との間に設けられていて，定着器６０を通過した用紙をスイッチバックさせて上述した感光体２１等からなる画像形成部へ返送するスイッチバックローラ対を構成している。
【００１５】
スイッチバックローラ対９３ａ，９３ｂは，定着器６０から排紙ローラ対９１，９２へと向かう排紙経路１６ａ中に設けられており，用紙のスイッチバックは，用紙の後端がスイッチバックローラ対９３ａ，９３ｂのニップ部Ｎ１を通過する直前に排紙ローラ対９１，９２およびスイッチバックローラ対９３ａ，９３ｂを逆転させて用紙を返送路１７へ供給することによってなされる。
返送路１７へ供給された用紙は，返送ローラ７２で搬送され，二次転写部Ｔ２への用紙の供給タイミングを決定するゲートローラ対１０ｇを経て二次転写部Ｔ２へと供給される。
【００１６】
図３に示すように，排紙ローラ対９１，９２は，駆動軸９１ａに複数個（図示のものは４個）間隔を隔てて固定された駆動ローラ９１ｂと，この駆動ローラ９１ｂに圧接される，駆動ローラ９１ａと同数の従動ローラ９２ｂとを有している。
コルゲーションローラ９４は，駆動軸９１ａの軸線方向において駆動ローラ９１ｂ同士の間に配置され，かつ，排紙ローラ対９１，９２を通過するシート状記録材Ｓ（図２参照）に対して，前記従動ローラ９２ｂの駆動ローラ９１ｂに対する圧接力よりも小さな圧接力で圧接される。
【００１７】
駆動軸９１ａは，図示しないフレームに回転可能に支持されており，図示しない駆動機構により回転駆動される。
図２，図３に示すように，従動ローラ９２ｂは，紙ガイド９５に回転可能に支持されている。紙ガイド９５は，支軸９５ａで上記フレームに揺動可能に支持されており，図示しない付勢部材により，従動ローラ９２ｂが駆動ローラ９１ｂに圧接されるように付勢されている。
【００１８】
コルゲーションローラ９４は，図３に示すように，平面視略コ字型のアーム９６の先端に回転可能に支持されている。アーム９６は，支軸９６ａで上記紙ガイド９５に揺動可能に支持されている。アーム９６と紙ガイド９５との間には，付勢部材（この場合ねじりばね）９７が設けられている。コルゲーションローラ９４は，自由状態で，図２に示すように，その外周９４ａの一部が記録材Ｓの通過経路（図２仮想線Ｓ参照）よりも駆動ローラ９１ｂ側に突出している。
したがって，コルゲーションローラ９４は，排紙ローラ対９１，９２によってシート状記録材Ｓが排出される際，その記録材Ｓに圧接して従動回転するが，上記付勢部材９７による付勢力すなわち圧接力は，前記従動ローラ９２ｂの駆動ローラ９１ｂに対する圧接力よりも小さな圧接力となっている。
【００１９】
このコルゲーションローラ９４のシート状記録材Ｓに対する圧接力は，シート状記録材が合成樹脂製のシート状記録材（例えばＯＨＰ用シート）であるとき，そのシート状記録材Ｓを，その排出方向から見てほとんど撓ませない程度の圧接力としてある。
したがって，記録材Ｓが普通紙等の比較的腰の弱い用紙でありカールしやすい用紙である場合には，コルゲーションローラ９４は，駆動ローラ９１ｂの間において，当該用紙を駆動ローラ９１ｂ間に押圧して変形させ，当該用紙をその排出方向から見て波打ち状態に変形させることで腰付けして排出するように作用するが，記録材Ｓが合成樹脂製のシート状記録材である場合には，そのシート状記録材Ｓを，その排出方向から見てほとんど撓ませずに略フラット状態で排出させるように作用する。
【００２０】
コルゲーションローラ９４のシート状記録材Ｓに対する圧接方向は，前記従動ローラ９２ｂの駆動ローラ９１ｂに対する圧接方向と同方向（図２において上方）である。
コルゲーションローラ９４は，シート状記録材Ｓの排出方向に関し，前記従動ローラ９２ｂよりも上流側（図２において右側）に配置されている。
【００２１】
以上のような画像形成装置は，トナー像が転写されたシート状記録材Ｓを加熱しつつ通過させることで，前記トナー像をシート状記録材Ｓに定着させる定着器６０と，この定着器６０の直後に配置され，定着器６０からのシート状記録材Ｓを搬送するためにシート状記録材の搬送方向と直交方向に配列された定着後ローラ列９３と，この定着後ローラ列９３の後段に配置され，定着後ローラ列９３からのシート状記録材Ｓをさらに搬送する後段ローラ対９１，９２とを備え，定着後ローラ列９３をなすローラのうち，シート状記録材Ｓの搬送方向と直交方向における，中央部分に位置するローラは互いに圧接する駆動ローラ９３ａと従動ローラ９３ｂとからなるローラ対で構成するとともに，両端部分に位置するローラ９３ｃには，当該ローラ９３ｃに圧接するローラを設けずに，当該ローラ９３ｃに用紙Ｓを接触させるガイド部材９３ｄを対向配置し，かつ，後段ローラ対９１，９２の圧接部Ｎ２を，シート状記録材Ｓの搬送方向から見て，定着後ローラ列９３におけるローラ対の圧接部Ｎ１と交互に配置してあるので，シート状記録材Ｓの搬送方向と直交方向における両端部分に位置するローラ９３ｃに対して，ガイド部材９３ｄで用紙Ｓが案内されて接触することとなる。
したがって，定着器６０で加熱されて出てきた用紙Ｓの両端部分と中央部分とに大きな温度差が生じにくくなり，結果として，用紙上のトナー像に光沢ムラが生じにくくなる。
しかも，後段ローラ対９１，９２の圧接部Ｎ２は，シート状記録材Ｓの搬送方向から見て，定着後ローラ列９３におけるローラ対９３ａ，９３ｂの圧接部Ｎ１と交互に配置されているので，定着後ローラ列９３におけるローラ対の圧接部Ｎ１を通らなかった用紙の部位が後段ローラ対９１，９２の圧接部Ｎ２を通ることとなる。
したがって，用紙の中央部分における光沢ムラも生じにくくなる。
また，ガイド部材９３ｄを，従動ローラ９３ｂと同軸上に配置し，従動ローラ９３ｂと一緒に回転する丸棒体で構成することにより，両端部分に位置するローラ９３ｃに対して，用紙の両端部を円滑かつ確実に案内して確実に前記ローラ９３ｃに接触させることができる。
【００２２】
また，この画像形成装置は，定着器６０からのシート状記録材Ｓを機外に排出する排紙ローラ対であって，駆動軸９１ａに複数個間隔を隔てて固定された駆動ローラ９１ｂと，この駆動ローラ９１ｂに圧接される，前記駆動ローラと同数の従動ローラ９２ｂとを有する排紙ローラ対９１，９２とを備え，前記駆動軸９１ａの軸線方向において駆動ローラ９１ｂ同士の間に配置され，かつ，排紙ローラ対９１，９２を通過するシート状記録材Ｓに対して，従動ローラ９２ｂの駆動ローラ９１ｂに対する圧接力よりも小さな圧接力で圧接されるコルゲーションローラ９４を備えているので，駆動軸９１ａの軸線方向において駆動ローラ９１ｂ同士の間に配置されたコルゲーションローラ９４が従動ローラ９２ｂの駆動ローラ９１ｂに対する圧接力よりも小さな圧接力で，排紙ローラ対９１，９２を通過するシート状記録材Ｓに対して圧接する。
【００２３】
したがって，シート状記録材Ｓが合成樹脂製のものである場合には，そのシート状記録材を波打った状態にせずに排出することが可能となる。
結果として，定着器６０にて加熱されて排出された合成樹脂製のシートが波打ったままの状態で固まってしまうことを防止することができる。
一方，排出されるシート状記録材Ｓが，普通紙等比較的腰の弱い用紙である場合には，前記駆動軸９１ａの軸線方向において駆動ローラ９１ｂ同士の間に配置されたコルゲーションローラ９４で圧接されることにより，排紙方向から見て波打った状態で排出されることとなる。
【００２４】
コルゲーションローラ９４のシート状記録材Ｓに対する圧接力は，シート状記録材が合成樹脂製のシート状記録材であるとき，そのシート状記録材を，その排出方向から見てほとんど撓ませない程度の圧接力としてあるので，シート状記録材が合成樹脂製のものである場合には，そのシート状記録材をほとんど波打った状態にせずに排出することが可能となる。
したがって，定着器６０にて加熱されて排出された合成樹脂製のシートが波打ったままの状態で固まってしまうことをより確実に防止することができる。
【００２５】
コルゲーションローラ９４のシート状記録材Ｓに対する圧接方向は，従動ローラ９２ｂの駆動ローラ９１ｂに対する圧接方向と同方向としてあるので，コルゲーションローラ９４のシート状記録材Ｓに対する圧接力が，従動ローラ９２ｂの駆動ローラ９１ｂに対する圧接力を記録材Ｓを介して低減させることがなくなる。
したがって，従動ローラ９２ｂの駆動ローラ９１ｂに対する圧接力を必要以上に大きくしなくても，確実にシート状記録材Ｓを排出することができる。
【００２６】
コルゲーションローラ９４は，シート状記録材Ｓの排出方向に関し，従動ローラ９２ｂよりも上流側に配置してあるので，駆動軸９１ａとコルゲーションローラ９４との干渉を防止できる。また，コルゲーションローラ９４を従動ローラ９２ｂよりも下流側に配置すると，排紙ローラ対９１，９２で排出される記録材Ｓの後端がコルゲーションローラに引っかかって記録材が機外（排紙トレイ１５上）へ円滑に排出されなくなるおそれがあるが，コルゲーションローラ９４をシート状記録材の排出方向に関し従動ローラ９２ｂよりも上流側に配置してあるので，そのような事態も防止することができる。
【００２７】
以上，本発明の実施の形態について説明したが，本発明は上記の実施の形態に限定されるものではなく，本発明の要旨の範囲内において適宜変形実施可能である。
【図面の簡単な説明】
【００２８】
【図１】本発明に係る画像形成装置の一実施の形態の内部構造を示す概略正面図。
【図２】排紙部の概略正面図。
【図３】排紙部の部分省略斜視図。
【図４】排紙部をなす各ローラの展開図。
【図５】変形例の展開図。
【符号の説明】
【００２９】
Ｓ：シート状記録材，６０：定着器，９１，９２：排紙ローラ対（後段ローラ対），９１ａ：駆動軸，９１ｂ：駆動ローラ，９２ｂ：従動ローラ，９３：定着後ローラ列，９３ａ：駆動ローラ，９３ｂ：従動ローラ，９３ｃ：両端部分に位置するローラ，９３ｄ：ガイド部材。
【図１】
2006234856.tif 000003
【図２】
2006234856.tif 000004
【図３】
2006234856.tif 000005
【図４】
2006234856.tif 000006
【図５】
2006234856.tif 000007